【事件の表示】
　特願２００４−１４８１８５「ファイル」拒絶査定不服審判事件〔平成１６年　９月２４日出願公開、特開２００４−２６２２４９〕について、次のとおり審決する。
【結　論】
　本件審判の請求は、成り立たない。
【理　由】
第１．手続の経緯
　
　本願は、平成１４年３月２０日に出願した特願２００２−７９０３５号の一部を平成１６年５月１８日に新たな特許出願としたものであって、平成１７年４月１９日付けで拒絶査定がなされ、これに対し、同年５月２６日付けで拒絶査定に対する審判請求がなされるとともに、同年６月２２日付けで明細書についての手続補正がなされた。
　そこで、当審においてこれを審理した結果、平成１９年９月１０日付けで、平成１７年６月２２日付けの明細書についての手続補正を却下するとともに、同日付で拒絶理由（以下、「当審拒絶理由」という。）を通知したところ、請求人は同年１１月１９日付けで意見書及び手続補正書を提出した。
　
第２．本願発明
　
　本願請求項１に係る発明（以下、「本願発明」という。）は、平成１９年１１月１９日付けの手続補正によって補正された請求項１に記載された事項により特定される次のものと認める。
「表表紙及び裏表紙を互いに分離させて、一方を綴じ元側に開口する袋状にするとともに、他方の綴じ元側に前記開口内に挿入可能な延出部を設け、この延出部を開口内に挿入した状態で、表表紙と裏表紙の間に表出する延出部を背表紙とするものであって、
　両表紙の綴じ元側の内側に折り込んだ位置に綴じ片を形成して、両綴じ片間に紙葉類を綴じ込むように構成し、延出部を設けた側の表紙の綴じ片に支持される共通の基端に２本の綴じ足を配し、袋状にした側の表紙の綴じ片に、前記綴じ足の先端側を挿し通して折り曲げた状態に係止する綴じ足係止部を固定するとともに、延出部に、開口への挿入方向と直交する方向に複数の襞を設け、
　前記延出部が設けられている表紙、綴じ片、背表紙、及び延出部を一体に形成し、延出部が設けられている表紙と当該延出部の基端との境界が常に折り曲げ位置となるようにしてこの位置に折り癖をつけて延出部を起立させておくことができるようにし、
　紙葉類を綴じ足に挿し通して延出部が設けられている表紙の上にセットした状態で、この表紙を片手で押さえながら、他方の手で袋状の表紙を把持し、その開口内に相手方の表紙の延出部を呑み込ませる操作を行うことができるようにしたものであって、
　前記綴じ足の基端を平板状のものにし、この平板状の基端を延出部が設けられている表紙とその表紙の綴じ片とで挟持し得るようにしたことを特徴とするファイル。」
　
第３．引用刊行物
　
（１）当審拒絶理由に引用され、本願出願前に頒布された刊行物である実願昭５０−１７１４４０号（実開昭５２−８２４２１号）のマイクロフィルム（以下、「刊行物１」という。）には、以下の記載が図示とともにある。
   ア．実用新案登録請求の範囲「内縁に折曲片（１）’（２）’を連設せる台版（１）、蓋版（２）を夫々構成し、この台版（１）に於ける折曲片（１）’に折曲自在な背版（３）の基端部（３）’を合掌せしめると共に当該合掌部に綴紐（４）（４）’を取付け、また蓋版（２）に於ける折曲片（２）’の外側に同綴紐（４）（４）’の係止体（５）を配装すると共に蓋版（２）の外面に背版（３）を抜挿自在に挿入する袋部（６）を設けて成るフアイル。」、
　イ．明細書第１頁１３行〜第２頁１行「本考案は紙葉等の綴込量の多寡に応じて背幅を自在に変更し得る新規なファイルを提供する」、
　ウ．第１、２図から、綴紐（４）（４）’を係止体（５）に係止した状態で、背版（３）は、折曲片（１）’と合掌した基端部（３）’と、合掌していない部分との境界を折り曲げ位置として起立している点が看取できる。
　エ．第１図から、係止体（５）が、綴紐（４）（４）’の先端側を挿し通して折り曲げた状態に係止している点が看取できる。
　オ．第２図から、綴紐（４）の基端部が、台版（１）とその折曲片（１）’とで挟持されている点が看取できる。
　上記ウ．によれば、綴紐（４）（４）’を係止体（５）に係止した状態で、背版（３）は起立しているので、ファイルは、紙葉等を綴紐（４）（４）’に挿し通して、台版（１）にセットした状態で、この台版（１）を片手で押さえながら、他方の手で蓋版（２）を把持し、その袋部（６）内に背版（３）を挿入する操作を行うことができると認められ、又、背版（３）の折曲片（１）’と合掌した基端部（３）’と、合掌していない部分との境界が折り曲げ位置となると認められる。
　
　よって、上記記載及び図面を含む刊行物１全体の記載から、刊行物１には、「内縁に折曲片２’及び折曲片１’を連設せる蓋版２及び台版１を互いに分離させて構成し、蓋版２に内縁側に開口する袋部６を設けるとともに、台版１の折曲片１’に背版３の基端部３’を合掌せしめ、この背版３の基端部３’と反対側は、袋部６の開口内に挿入可能で、背版３を開口内に挿入した状態で、蓋版２と台版１の間に表出する部分を背表紙とするものであって、折曲片２’と折曲片１’と基端部３’の合掌部の間に紙葉等を綴込むように構成し、折曲片１’と基端部３’の合掌部に綴紐４、４’の基端部を取付け、折曲片２’に綴紐４、４’の先端側を挿し通して綴紐４、４’を折り曲げた状態に係止する係止体５を配装するとともに、背版３の折曲片１’と合掌した基端部３’と、合掌していない部分との境界が折り曲げ位置となるようにし、紙葉等を綴紐４、４’に挿し通して、台版１にセットした状態で、この台版１を片手で押さえながら、他方の手で蓋版２を把持し、その袋部６内に背版３を挿入する操作を行うことができるようにしたしたものであって、前記綴紐の基端部を、台版１とその折曲片１’とで挟持し得るようにしたファイル。」の発明（以下、「刊行物１発明」という。）が開示されている。
　
（２）当審拒絶理由に引用され、本願出願前に頒布された刊行物である特開平７−２３７３８３号公報（以下、「刊行物２」という。）には、以下の記載が図示とともにある。
  ａ．段落【０００３】「うら表紙側折込み部Ｆ５には左右一対の綴り足４１がおもて表紙側折込み部Ｆ４に向かって設けられているとともに、おもて表紙側折込み部Ｆ４の表面には細長い平板状の綴り具１０が固定されている。」、
　ｂ．段落【００２３】「図１．．．この図に示すように、本発明のファイルＦａは、矩形の厚紙等が折り加工されて形成され、長手方向の中央部より若干右側で谷折りされて形成されたおもて表紙Ｆ１と、中央部より若干左側で谷折りされたうら表紙Ｆ３と、おもて表紙Ｆ１およびうら表紙Ｆ３に挟持された背表紙Ｆ２とから基本構成されている。」、
   ｃ．段落【００２４】〜【００２５】「上記おもて表紙Ｆ１と背表紙Ｆ２との間には内側に向かって突出したおもて表紙側折込み部Ｆ４が設けられているとともに、背表紙Ｆ２とうら表紙Ｆ３との間には内側に向かって突出したうら表紙側折込み部Ｆ５が設けられている。うら表紙側折込み部Ｆ５には左右一対の綴り足４１が立設された綴り足部材４が裏面に取り付けられ、綴り足４１はうら表紙側折込み部Ｆ５を貫通しておもて表紙側折込み部Ｆ４の方向に突出している。上記おもて表紙側折込み部Ｆ４には上記綴り足４１を挿通させる通し孔が穿設されているとともに、上記折込み部Ｆ４の表面には上記通し孔に挿通された綴り足４１を係止する綴り具１が付設されている。
　レール部材２のおもて表紙側折込み部Ｆ４への固定方法については特に限定されるものではなく接着あるいは溶着でもよい」、
 　ｄ．段落【００３０】「綴り足部材４は、綴り足４１と基板４２とから構成されているが、本発明の綴り足部材４は、上記実施例に示されている綴り足４１と基板４２とから構成される形状、構造に限定されるものではなく、綴り足部材４全体を細長い帯状のものにしたり紐状にしてもよい。また、特に基板４２を設けず、綴り足４１を直接うら表紙側折込み部Ｆ５に固定するようにしてもよい。」、
   ｅ．段落【００４５】〜【００４９】「図８は、本発明に係るファイルの第二の例を示す一部切欠き斜視図である。この例の場合は、うら表紙Ｆ３ｂが開口部から挿入される封筒状の袋表紙Ｆ６が別途用いられる。この袋表紙Ｆ６の開口部の一縁部にうら表紙側折込み部Ｆ５ｂが延設され、この表紙側折込み部Ｆ５ｂに綴り足４１を備えた綴り足部材４が付設されている。
　そして、うら表紙Ｆ３ｂが袋表紙に挿入された状態でおもて表紙Ｆ１と袋表紙Ｆ６との間に背表紙Ｆ２ｂが形成される。また、おもて表紙Ｆ１と背表紙Ｆ２との間に内側に向かって突出したおもて表紙側折込み部Ｆ４が設けられ、このおもて表紙側折込み部Ｆ４には綴り足４１を挿通させる通し孔が穿設されているとともに、上記折込み部Ｆ４の表面には上記通し孔に挿通された綴り足４１を係止する上記と同様の綴り具が付設されている。
　そして、うら表紙Ｆ３ｂの袋表紙Ｆ６への挿入量を調節することによって背表紙の幅を任意に設定することができるようになっている。また、うら表紙Ｆ３ｂに縦方向（長手方向）に亘って複数の折り襞５が形成され、適宜の折り襞５に沿ってうら表紙Ｆ３ｂを折り込むことによって容易に背表紙Ｆ２ｂが形成さるようになっている。
　この例のファイルＦｂによれば、書類等の厚みに応じて折り襞５に沿った折り返し位置を設定することにより背表紙Ｆ２ｂを最適な厚みに調節することが可能であり、常に背表紙Ｆ２ｂを書類等の厚みに適合したものにすることができ好都合である。
　なお、上記実施例においては、レール部材２はおもて表紙側折込み部Ｆ４に固定されている」
　ｆ．図１〜図３及び図８から綴じ足部材４の基板４２が平板状であることが看取できる。
　上記記載及び図面を含む刊行物２全体の記載から、本願発明に関し、刊行物２には、以下の事項が開示されていると認められる。
 「表表紙及び裏表紙を互いに分離させて、一方を綴じ元側に開口する袋状にするとともに、他方の綴じ元側に前記開口内に挿入可能な延出部を設け、この延出部を開口内に挿入した状態で、表表紙と裏表紙の間に表出する延出部を背表紙とするものであって、
　両表紙の綴じ元側の内側に折り込んだ位置に綴じ片を形成して、両綴じ片間に紙葉類を綴じ込むように構成し、一方の綴じ片に支持される共通の基端に２本の綴じ足を配し、他方の綴じ片に前記綴じ足の先端側を挿し通して折り曲げた状態に係止する綴じ足係止部を固定するとともに、延出部に、開口への挿入方向と直交する方向に複数の襞を設け、
　前記延出部が設けられている表紙、綴じ片、背表紙、及び延出部を一体に形成し、綴じ足の基端を平板状のものにしたファイル。」
　　
第４．対比
　本願発明と刊行物１発明とを比較する。
　１）刊行物１発明の「蓋版２」、「台版１」、「内縁側」、「袋部６を設けた蓋版２」、「背版３」、「綴紐４、４’」、「取付け」、「係止体５」、「背版３の折曲片１’と合掌した基端部３’と、合掌していない部分との境界」、「挿入する」は、それぞれ、 
 　本願発明の「表表紙」、「裏表紙」、「綴じ元側」、「袋状にした側の表紙」、「延出部」、「綴じ足」、「配し」、「綴じ足係止部」、「延出部が設けられている表紙と当該延出部の基端との境界」、「呑み込ませる」に相当する。 
　２）刊行物１発明の「折曲片１’と基端部３’の合掌部」及び「折曲片２’」は、本願発明の「延出部を設けた側の表紙の綴じ片」及び「袋状にした側の表紙の綴じ片」に相当する。    
　３）刊行物１発明の「配装する」と、本願発明の「固定する」は「配する」点で共通する。
　　
　したがって、両者は、
 「表表紙及び裏表紙を互いに分離させて、一方を綴じ元側に開口する袋状にするとともに、他方の綴じ元側に前記開口内に挿入可能な延出部を設け、この延出部を開口内に挿入した状態で、表表紙と裏表紙の間に表出する延出部を背表紙とするものであって、 
 　両表紙の綴じ元側の内側に折り込んだ位置に綴じ片を形成して、両綴じ片間に紙葉類を綴じ込むように構成し、延出部を設けた側の表紙の綴じ片に２本の綴じ足の基端部を配し、袋状にした側の表紙の綴じ片に、前記綴じ足の先端側を挿し通して折り曲げた状態に係止する綴じ足係止部を配するとともに、
　延出部が設けられている表紙と当該延出部の基端との境界が折り曲げ位置となるようにし、紙葉類を綴じ足に挿し通して延出部が設けられている表紙の上にセットした状態で、この表紙を片手で押さえながら、他方の手で袋状の表紙を把持し、その開口内に相手方の表紙の延出部を呑み込ませる操作を行うことができるようにしたものであって、綴じ足の基端を延出部が設けられている表紙とその表紙の綴じ片とで挟持し得るようにしたファイル。」の点で一致し、以下の点で相違している。
［相違点１］２本の綴じ足を、本願発明では、表紙の綴じ片に支持される共通の基端に配し、さらに、基端を平板状のものにしているのに対し、刊行物１発明はこの点について記載がない点、　
［相違点２］綴じ足係止部を配する点に関し、本願発明では固定するとしているのに対して、刊行物１発明では配装するとしている点、
［相違点３］延出部に、本願発明では、開口への挿入方向と直交する方向に複数の襞を設けているのに対して、刊行物１発明にはこの点の記載がない点、　
［相違点４］本願発明では、延出部が設けられている表紙、綴じ片、背表紙、及び延出部を一体に形成してと記載しているのに対して、刊行物１発明では、表紙、綴じ片、背表紙、及び延出部を一体に形成するとの記載がない点、
［相違点５］延出部が設けられている表紙と当該延出部の基端との境界に、本願発明では、折り癖をつけて、常に折り曲げ位置となるようにして延出部を起立させておくことができるようにしているのに対し、刊行物１発明では、この点について記載がない点、
　
第５．判断
　上記相違点１について検討する。
　２本の綴じ足を表紙の綴じ片に支持される共通の平板状の基端に配したものが、上記刊行物２に記載されている（基板４２）から、刊行物１発明の２本の綴じ足に、刊行物２記載の構成を採用して、相違点１に係る本願発明の構成にすることは当業者が容易に想到できることである。
　上記相違点２について検討する。
　綴じ足係止部を、固定して配することは従来から周知である（上記刊行物２参照）から、刊行物１発明における綴じ足係止部を配するに際し、上記周知技術を採用することは当業者が容易になし得る程度のことである。
　上記相違点３について検討する。
　延出部に、開口への挿入方向と直交する方向に複数の襞を設けることは、従来から周知・慣用手段である（上記刊行物２、実願昭４９−９０３０９号（実開昭５１−１８６２６号）のマイクロフィルム の第１〜第４図の折曲線１７、実願昭６３−１３９３００号（実開平２−５９９８６号）のマイクロフィルムの明細書第７頁１８〜１９行 ）から、この周知・慣用手段を刊行物１発明における延出部に適用することは当業者が容易になし得る程度のことである。 
　上記相違点４について検討する。
　延出部が設けられている表紙、綴じ片、背表紙、及び延出部を一体に形成することが、１枚の部材を折る等によって表紙、綴じ片、背表紙、及び延出部を形成することを意味するのか、表紙、綴じ片、背表紙、及び延出部が１つになって分離していないことを意味するのか、判然としないが、前者の意味ならば、延出部が設けられている表紙、綴じ片、背表紙、及び延出部を一体に形成することは従来から周知・慣用手段である（上記刊行物２の記載ｅ．図８、上記実願昭６３−１３９３００号（実開平２−５９９８６号）のマイクロフィルムの第２図、登録実用新案３０３６５９６号公報の段落【０００９】「他方の表紙２には、表紙２と背表紙３との境界に近い表紙２の端部に相当する部分に綴り孔４ｂを形成した立上片４ａを設ける。立上片４ａは、１枚の厚紙を折ることにより形成してもよく」）から、この周知・慣用手段を刊行物１発明に適用することは当業者が容易になし得る程度のものであり、後者の意味ならば、刊行物１発明においても、延出部が設けられている表紙、綴じ片、背表紙、及び延出部を一体に形成するといえる（刊行物１の前記記載ア．「内縁に折曲片（１）’（２）’を連設せる台版（１）、蓋版（２）．．．台版（１）に於ける折曲片（１）’に．．．背版（３）の基端部（３）’を合掌せしめる」）からこの点は実質的な相違点にならない。
　上記相違点５について検討する。
　一般に、折り曲げ位置に、折り癖をつけることは、慣用技術であり、折り癖が設けられた部分を折ることにより起立させておくことが可能であるから、この折り癖をつけるという慣用技術を、折り曲げ位置となる延出部が設けられている表紙と当該延出部の基端との境界に適用し、常に折り曲げ位置となるようにして延出部を起立させておくことができるようにしておくことは当業者が容易になし得た程度のものである。
　
　そして、相違点１乃至５に係る構成を含む本願発明の作用効果も、刊行物１、２記載の発明及び周知事項から当業者が予測できる範囲のものである。
　
第６．むすび
　以上のとおり、本願発明は、本願出願前に頒布された各刊行物１、２記載の発明及び周知事項に基づいて、当業者が容易に発明をすることができたものであるから、特許法第２９条第２項の規定により特許をうけることができない。
　したがって、本願のその余の請求項に係る発明について検討するまでもなく、本願は拒絶を免れない。
　よって、結論のとおり審決する。